(57)【要約】【課題】雨などの水分により濡れる環境下においても電子ペンを使用することができるドットパターンを有した耐水電子ペン用シートを提供する。【解決手段】表面の少なくとも一部に電子ペン１００で読み取り可能なドットパターン印刷層２３を有したシート状基材２０と、シート状基材２０の少なくともドットパターン印刷層２３の領域に配置される耐水性基材３０と、シート状基材２０の裏面と耐水性基材３０とを接着する第１の接着層２４とを備える。【選択図】図１
2007216533.tif 000002
【特許請求の範囲】
【請求項１】
表面の少なくとも一部に電子ペンで読み取り可能なドットパターン印刷層を有したシート状基材と、
前記シート状基材の少なくとも前記ドットパターン印刷層の領域に配置される耐水性基材と、
前記シート状基材の裏面と前記耐水性基材とを接着する第１の接着層と、
を備える耐水電子ペン用シート。
【請求項２】
請求項１に記載の耐水電子ペン用シートにおいて、
前記第１の接着層は、溶剤系接着剤若しくは粘着剤、水系接着剤若しくは粘着剤に硬化剤を添加したもの、又は、前記溶剤系接着剤若しくは粘着剤又は前記水系接着剤若しくは粘着剤に硬化剤を添加したものを含浸基材に含浸させたものであること、
を特徴とする耐水電子ペン用シート。
【請求項３】
請求項１又は請求項２に記載の耐水電子ペン用シートにおいて、
前記耐水性基材は、前記シート状基材より小さい形状であり、前記シート状基材と貼り合わさる面の反対面に第２の接着層と、前記第２の接着層により再剥離可能に接着される剥離基材とを備えること、及び、
前記シート状基材の前記耐水性基材が貼られない第１の接着層は、前記耐水性基材と前記剥離基材との厚みとほぼ同等の厚み調整基材が貼り合わされること、
を特徴とする耐水電子ペン用シート。
【請求項４】
請求項３に記載の耐水電子ペン用シートにおいて、
前記第２の接着層は、溶剤系粘着剤又は水系粘着剤に硬化剤を添加したものであること、
を特徴とする耐水電子ペン用シート。
【請求項５】
請求項３又は請求項４に記載の耐水電子ペン用シートにおいて、
前記シート状基材は、前記耐水性基材及び前記厚み調整基材の間に分離線を備えること、
を特徴とする耐水電子ペン用シート。
【請求項６】
請求項３から請求項５までのいずれか１項に記載の耐水電子ペン用シートにおいて、
前記厚み調整基材は、前記剥離基材と同等の厚み及び同種の基材であり、前記剥離基材とは表裏反転させて前記第１の接着層に貼り合わされること、
を特徴とする耐水電子ペン用シート。
【請求項７】
請求項１から請求項６までのいずれか１項に記載の耐水電子ペン用シートにおいて、
前記シート状基材は、表面の少なくとも一部に情報を記入する印刷層を備えること、
を特徴とする耐水電子ペン用シート。
【発明の詳細な説明】
【技術分野】
【０００１】
本発明は、電子ペンを使用できるドットパターンを有した電子ペン用シートに関するものである。
【背景技術】
【０００２】
商品販売などに使用されている申込書は、顧客に申し込み内容を記入してもらい、その申し込み内容を販売員がＰＣなどの端末機に打ち込み、電子管理していることが多い。昨今、このような申込書に電子ペンを用いた技術が提案され、顧客が申込書へ記入したのと同時に、記入内容を電子データに変換して伝票処理を高速化及び高効率化する傾向がある。この電子ペンは、数多くの方式が存在しており、例えば、タブレットを活用したペンや、専用台に設けた三角測量センサによりペンの座標を電子化していくなど様々な方式が提案、商品化されてきたが、現実的には使い勝手が悪く、あまり現実的ではなかった。しかし、その中でアノト方式の電子ペンは、際立った利便性有しており、一般市場で用いられる例が増えている（例えば、特許文献１）。
【０００３】
アノト方式の電子ペンは、小型カメラを内蔵したインキペンで構成され、その専用紙は、表面に固有データからなる網点（ドットパターン）が設けられている。小型カメラは、ＣＣＤカメラやＣＭＯＳカメラなどが使用されているが、昨今のカメラ技術の急速な発展に伴い更に高性能な物へと置き換わる可能性がある。専用紙のドットパターンは、赤外光を吸収する特性のあるカーボンブラック入りの墨インキを用いている。電子ペンの筆記軌跡は、電子ペンに内蔵された赤外光ＬＥＤにより照明された専用紙のドットパターンを小型カメラが読み取り、筆跡を座標データに変換し、電子ペンに内蔵されたメモリに記憶させることで電子データとして保存される。また、カーボンブラックを使用していないインキを使用することにより、ドットパターン以外の絵柄や記入枠などを印刷することが可能であり、ＯＣＲ文字のようなドロップアウトカラーだけでなく、フルカラー絵柄を印刷することができる。
【０００４】
このように非常に便利で、優れた特性を持つアノト方式の電子ペンであるが、専用紙の印刷に使用できるプリンタが限定されてしまう問題がある。プリンタは、粒子トナータイプとインクジェットタイプに２分され、更に、粒子トナータイプにはフラッシュ定着方式と熱定着方式とがある。
【０００５】
フラッシュ定着方式は、フラッシュランプの発光により熱を発生させ、黒色のトナーが吸熱し、トナー中の溶融成分（多くはワックス等の熱可塑性成分）が溶け、常温で冷やされることにより定着に至るものである。この方式は、多くは白色で吸熱が発生しないことから、印刷対象である基材へのダメージが少ないという特徴を持ち、ＰＰ（ポリプロピレン）やＰＥＴ（ポリエチレンテレフタレート）で構成された熱可塑性樹脂フィルム基材でも使用できるという特徴を持つが、フラッシュランプという大掛かりな装置がプリンタに要求され、ＯＡプリンタ等の小型機ではほとんど用いられていない。また、このプリンタに用いられるインクは、カーボンレスタイプに限定されており、仮にカーボンインキを使用したときは、カーボンが吸熱した際にＵＶインキが自己分解温度まで上昇し、インキが基材から脱落してしまい印字することができない。よって、電子ペン用の専用紙への適用は難しい。
【０００６】
一方、熱定着方式は、直接的な熱でトナーを溶融させ、その後常温で冷やされることによりインキを基材に定着させる。いずれも黒色を発現させるためにカーボンブラックをコア材とし、この周囲に溶融成分を付着させた構造になっているので、電子ペン用の専用紙の印刷に適している。また、この方式は、ＯＡプリンタなどにも採用されており、世間でも数多く流通している。しかし、印刷時に基材全体を温めてしまうため、熱可塑性樹脂フィルム基材は、溶けたり、変形したりする可能性が高く、プリンタの紙（基材）詰まりの原因となるので、適用できないことが多い。例えば、ＰＰは、軟化温度が低いのでほとんど使用できず、また、ＰＥＴであってもプリンタの定着温度を下げるなどの対策や、基材の強度が必要以上に低下しないように厚手の基材にするなどの対策が必要となる。
【特許文献１】特開２００４−１９５９３３号公報
【発明の開示】
【発明が解決しようとする課題】
【０００７】
昨今、アノト方式の電子ペンは事務所内での使用だけに留まらず、申込書や配送伝票など屋外での使用へと活用分野が広がってきており、電子ペンだけでなく専用紙に対しても耐水性を求める要望が高まっている。
従来の専用紙は、普通紙などで構成されているので、雨天時の屋外などの悪環境下で使用した場合には、水分により歪み、ドットパターンが認識できないなどの問題が発生し、記入情報が正確に又は全く得られないことがある。この対策として、専用紙に耐水性のある熱可塑性樹脂フィルム基材を用いることも考えられるが、上述したように、熱可塑性樹脂フィルム基材に印刷することができるプリンタが限定されてしまう。
本件発明者は、耐水性を有する専用紙を構成するには以下の３要素を同時に満たす必要があることを見出した。
１）耐水性を有する専用紙は、熱可塑性樹脂フィルム基材を用いるのが有効である。
２）ドットパターンの印刷は、熱定着方式のプリンタが必要である。
３）熱可塑性樹脂フィルム基材の印刷は、熱定着方式のプリンタでは困難である。
【０００８】
そこで、本発明の課題は、雨などの水分により濡れる環境下においても電子ペンを使用することができるドットパターンを有した耐水電子ペン用シートを提供することである。
【課題を解決するための手段】
【０００９】
本発明は、以下のような解決手段により、前記課題を解決する。なお、理解を容易にするために、本発明の実施形態に対応する符号を括弧内に付して説明するが、これに限定されるものではない。
請求項１の発明は、表面の少なくとも一部に電子ペン（１００）で読み取り可能なドットパターン印刷層（２３）を有したシート状基材（２０）と、前記シート状基材（２０）の少なくとも前記ドットパターン印刷層（２３）の領域に配置される耐水性基材（３０）と、前記シート状基材（２０）の裏面と前記耐水性基材（３０）とを接着する第１の接着層（２４）とを備える耐水電子ペン用シート（１０）である。
【００１０】
請求項２の発明は、請求項１に記載の耐水電子ペン用シート（１０）において、前記第１の接着層（２４）は、溶剤系接着剤若しくは粘着剤、水系接着剤若しくは粘着剤に硬化剤を添加したもの、又は、前記溶剤系接着剤若しくは粘着剤又は前記水系接着剤若しくは粘着剤に硬化剤を添加したものを含浸基材に含浸させたものであることを特徴とする耐水電子ペン用シート（１０）である。
【００１１】
請求項３の発明は、請求項１又は請求項２に記載の耐水電子ペン用シート（１０）において、前記耐水性基材（３０）は、前記シート状基材（２０）より小さい形状であり、前記シート状基材（２０）と貼り合わさる面の反対面に第２の接着層（３１）と、前記第２の接着層（３１）により再剥離可能に接着される剥離基材（４０）とを備えること、及び、前記シート状基材（２０）の前記耐水性基材（３０）が貼られない第１の接着層（２４）は、前記耐水性基材（３０）と前記剥離基材（４０）との厚みとほぼ同等の厚み調整基材（５０）が貼り合わされることを特徴とする耐水電子ペン用シート（１０）である。
【００１２】
請求項４の発明は、請求項３に記載の耐水電子ペン用シート（１０）において、前記第２の接着層（３１）は、溶剤系粘着剤又は水系粘着剤に硬化剤を添加したものであることを特徴とする耐水電子ペン用シート（１０）である。
【００１３】
請求項５の発明は、請求項３又は請求項４に記載の耐水電子ペン用シート（１０）において、前記シート状基材（２０）は、前記耐水性基材（３０）及び前記厚み調整基材（５０）の間に分離線（２５）を備えることを特徴とする耐水電子ペン用シート（１０）である。
【００１４】
請求項６の発明は、請求項３から請求項５までのいずれか１項に記載の耐水電子ペン用シート（１０）において、前記厚み調整基材（５０）は、前記剥離基材（４０）と同等の厚み及び同種の基材であり、前記剥離基材（４０）とは表裏反転させて前記第１の接着層（２４）に貼り合わされることを特徴とする耐水電子ペン用シート（１０）である。
【００１５】
請求項７の発明は、請求項１から請求項６までのいずれか１項に記載の耐水電子ペン用シート（１０）において、前記シート状基材（２０）は、表面の少なくとも一部に情報を記入する記入枠などで構成された絵柄を印刷する絵柄印刷層（２６，２７）を備えることを特徴とする耐水電子ペン用シート（１０）である。
【発明の効果】
【００１６】
以上説明したように、本発明によれば、以下のような効果がある。
（１）シート状基材の裏面に耐水性基材を設けているので、シート状基材が水分などで濡れることにより、歪みを生じることがなくなり、電子ペンの読み取り不良をなくすことができる。
（２）第１の接着層は、溶剤系接着剤若しくは粘着剤、水系接着剤若しくは粘着剤に硬化剤を添加したもの、又は、溶剤系接着剤若しくは粘着剤又は水系接着剤若しくは粘着剤に硬化剤を添加したものを含浸基材に含浸させたものであるので、耐水性基材とともに耐水効果を向上させることができる。
（３）シート状基材の裏面は、耐水性基材と剥離基材との厚みとほぼ同等の厚み調整基材が貼り合わされているので、耐水電子ペン用シートを均一な厚みにすることができ、プリンタなどに挿入しても基材詰まりや印刷仕上りの低下を抑制することができる。
（４）第２の接着層は、溶剤系粘着剤又は水系粘着剤に硬化剤を添加したものであるので、耐水効果を有することができる。
（５）シート状基材は、耐水性基材及び厚み調整基材の間に分離線を備えているので、必要に応じてシート状基材を切り離すことができる。
（６）厚み調整基材は、剥離基材と同等の厚み及び同種の基材で構成されているので、厚み調整用基材の厚みの設定に注意する必要をなくすことができる。
（７）シート状基材は、表面の少なくとも一部に情報を記入する記入枠などで構成された絵柄印刷層を備えているので、シート状基材の表面にドットパターン印刷層の他に、記入枠、機械読取記号、及び、機械読取文字などを構成することができる。
【発明を実施するための最良の形態】
【００１７】
本発明は、雨などの水分により濡れる環境下においても電子ペンを使用することができるドットパターンを有した耐水電子ペン用シートを提供するという目的を、シート状基材に耐水性基材を貼り合わせることにより実現する。
【実施例１】
【００１８】
以下、図面等を参照して、本発明の実施例をあげて、さらに詳しく説明する。
図１は、本発明による実施例１の耐水電子ペン用シートで構成された申込伝票を示す図である。なお、図１（Ｂ）は、図１（Ａ）のＢ−Ｂ断面の模式図である。また、図２は、実施例１の電子ペンの構成を示す模式図である。
【００１９】
電子ペン１００は、図２に示すように、インキペン部１０１、赤外線照明部１０２、小型カメラ部１０３、メモリ部１０４及びデータ送信部１０５で構成されている。
インキペン部１０１は、インキ式の筆記道具であり、例えば、ボールペンである。
赤外線照明部１０２は、小型カメラ部１０３で読み取る領域を赤外線で照明するＬＥＤである。
小型カメラ部１０３は、電子ペン１００により筆記した軌跡をドットパターン印刷層２３から読み取ることができ、例えば、ＣＭＯＳカメラである。
メモリ部１０４は、小型カメラ部１０３で読み取ったデータを時系列の座標データに変換し、電子データとして記憶しておく回路である。
データ送信部１０５は、メモリ部１０４に記憶された電子データを外部端末１１０に送信する送信機である。
外部端末１１０は、データ送信部１０５から発信された電子データを受信及び保存する機能を持つデータベースである。
【００２０】
申込伝票１０は、図１に示すように、シート状基材２０の裏面に第１の接着層２４を介して耐水性基材３０及び厚み調整基材５０が貼り合わされ、更に、耐水性基材３０の裏面に第２の接着層３１を介して剥離基材４０が貼り合わされた電子ペン用シートであり、本実施例では、商品販売の注文及び配送依頼に用いられる伝票である。
シート状基材２０は、ミシン目２５を挟んで申込書２１及び申込書お客様控え２２で構成される上質紙である。
申込書２１は、表面にドットパターン印刷層２３、申込記入欄２６及び機能欄２７が印刷され、裏面に、第１の接着層２４を介して耐水性基材３０が貼られている。
申込書お客様控え２２は、表面に申込記入欄２６が印刷され、裏面には厚み調整基材５０が第２の接着層３１を介して貼られている。
ドットパターン印刷層２３は、電子ペン１００により認識することができるカーボンを含んだ専用インキからなるドットパターンにより構成されている。
第１の接着層２４は、シート状基材２０の裏面に構成され、耐水性も備える剥離不可能な溶剤系接着剤である。
ミシン目２５は、申込書２１及び申込書お客様控え２２を切り離すための分離線である。
申込記入欄２６は、顧客が商品を注文及び配送を依頼するときに必要な事項を記入する記入枠であり、カーボンを含まないインキで印刷される。
機能欄２７は、その欄内に電子ペン１００による記入があったときに、予め定義したアクションを実行させるための指示部であり、本実施例では、電子ペン１００のメモリ部１０４に記憶されたデータを外部端末１１０へ送信させるための送信指令欄であり、カーボンを含まないインキで印刷される。
耐水性基材３０は、申込書２１と同等の形状であり、ＰＥＴで構成された３８〜１００μｍ程度の厚みの樹脂シートである。
第２の接着層３１は、耐水性基材３０の裏面に構成され、耐水性及び再剥離可能な特性である硬化剤を添加した５〜２０μｍ程度の厚みの水系粘着材を使用している。
剥離基材４０は、第２の接着層３１と再剥離可能に接着される５０〜１００μｍ程度の厚みの剥離紙である。
厚み調整基材５０は、耐水性基材３０と剥離基材４０との厚みとほぼ同等であり、申込書お客様控え２２とほぼ同等の縦横寸法で形成された上質紙である。申込伝票１０にドットパターン印刷層３１、申込記入欄２６、及び、機能欄２７などをプリンタで印刷するときに、普通紙の印刷と同じ方法で印刷することができる。すなわち、厚み調整基材５０が設けられていることで、申込伝票１０の申込書２１の厚みのみが厚くなることにより、プリンタへ挿入したときの印字の濃さの変化や、紙詰まりの発生などの問題が解消される。
【００２１】
次に、電子ペン１００のデータの読み取り方法、及び、読み取ったデータの変換方法について説明する。図３は、電子ペン１００のデータ変換則の一例を示す図であり、図４は、データの変換例を示す図である。
電子ペン１００は、内蔵されている赤外線照明部１０２により、申込伝票１０のドットパターン３１を照明し、小型カメラ部１０３により筆記の軌跡を読み取る。小型カメラ部１０３は、筆記したインクペン部１０１のインキを読み取るのではなく、図２に示すように、筆記場所の近傍の赤外線照明部１０２により照明された領域のカーボンを含んだ専用インキで印刷されたドットパターン印刷層２３のみを読み取る。
ドットパターン印刷層２３のドットは、図３に示すように、各ドットの位置が座標データ（０〜３）に対応付けされており、例えば、図４（Ａ）に示すようなドットパターン印刷層２３のドットを電子ペン１００が読み取ったときは、図３にある変換則により、図４（Ｂ）に示すように、座標データへと変換される。座標データは、筆記中に連続的にメモリ部１０４へ記憶され、時系列の座標データとなる。なお、インクペン部１０１に筆圧を感知できる圧力計（図示せず）を備えるなどして、筆記の開始、終了を検知し、電子ペン１００のメモリ部１０４の記憶開始、終了のＯＮ／ＯＦＦのスイッチとする。
【００２２】
続いて、実施例１の申込伝票１０の使用方法を説明する。
商品販売において、顧客が店頭で商品を注文し、併せて自宅への配送の依頼をするときに、店の販売員は、図１に示すような申込伝票１０を顧客へ渡し、必要事項の記入を依頼する。
顧客は、販売員より手渡された電子ペン１００を使って、申込伝票１０の申込書２１及び申込書お客様控え２２の申込記入欄２６に必要事項を記入する。顧客の記入した内容は、電子ペン１００のインキペン部１０１により申込伝票１０に筆跡を残し、同時に、記入内容の筆記軌跡が、電子ペン１００の小型カメラ部１０３により読み取られ、メモリ部１０４で時系列の座標データに変換し、電子データとして記憶される。仮に、販売場所が街頭などの屋外で雨天時であっても、電子ペンの読み取り領域である申込書２１は、裏面が耐水性基材３０で貼り合わされており、水分により歪むことがないので、電子ペンは筆跡を正確に読み取ることができる。
【００２３】
顧客が記入を終えたら、販売員は、注文及び配送依頼の控えとして申込書お客様控え２２を申込伝票１０からミシン目２５により切り離して顧客へ手渡す。続いて、販売店控えとなる申込書２１の機能欄２７を電子ペン１００でチェックし、電子ペン１００のメモリ部１０４に記憶された電子データを、データ送信部１０５により外部端末１１０へ送信し、外部端末１１０に電子データを保存する。
商品の配送担当者は、外部端末１１０に保存された電子データを見て、顧客から指定された商品の在庫確認から配送の手続きまでを迅速に行なうことができる。申込書２１は、裏面の剥離基材４０が剥がされ、店頭で保管される販売記録簿に貼り付けられるので、顧客からの問い合わせなどにも迅速に対応することができる。従来は１枚ずつ手作業にて行なわれていた申込書の伝票処理が、電子データによる処理へと変わり、処理時間及び手間を大幅に軽減することができ、また、顧客への荷物の配送も迅速化し、顧客の満足度を向上することができる。
【００２４】
以上より、実施例１の申込伝票１０には以下のような効果がある。
（１）シート状基材２０の裏面に耐水性基材３０を設けているので、シート状基材２０が水分などで濡れることにより、歪みを生じることがなくなり、電子ペン１００の読み取り不良をなくすことができる。
（２）第１の接着層２４は、溶剤系接着剤若しくは粘着剤、水系接着剤若しくは粘着剤に硬化剤を添加したもの、又は、溶剤系接着剤若しくは粘着剤又は水系接着剤若しくは粘着剤に硬化剤を添加したものを含浸基材に含浸させたものであるので、耐水性基材３０とともに耐水効果を向上させることができる。
（３）シート状基材２０の裏面は、耐水性基材３０と剥離基材４０との厚みとほぼ同等の厚み調整基材５０が貼り合わされているので、耐水電子ペン用シート１０を均一な厚みにすることができ、プリンタなどに挿入しても基材詰まり及び印刷仕上りの低下を抑制することができる。
（４）第２の接着層３１は、溶剤系粘着剤又は水系粘着剤に硬化剤を添加したものであるので、耐水効果を有することができる。
（５）シート状基材２０は、耐水性基材３０及び厚み調整基材５０の間にミシン目２５を備えているので、必要に応じてシート状基材２０を切り離すことができる。
（６）シート状基材２０は、表面の少なくとも一部に情報を記入する記入枠などで構成された絵柄印刷層を備えているので、シート状基材２０の表面にドットパターン印刷層２３とともに、申込記入欄２６、及び、機能欄２７などを構成することができる。
【実施例２】
【００２５】
図５は、本発明による実施例２の耐水電子ペン用シートで構成された申込伝票を示す図である。図５（Ｂ）は、図５（Ａ）のＢ−Ｂ断面の模式図である。
なお、前述した実施例１と同様な機能を果たす部分には、同一の符号又は末尾に統一した符号を付して、重複する説明や図面を適宜省略する。
実施例２の申込伝票１０−２は、図５に示すように、以下の相違点を除き、実施例１の申込伝票１０と同様の構成となる。
耐水性基材３０は、申込書２１と同等の形状のＰＥＴで構成される樹脂シートであり、ハーフカット３２により２分割された構成となる。
厚み調整基材５０は、剥離基材４０と同等の厚みであり、また、同種の剥離紙であり、剥離機材４０とは表裏反対にして第１の接着層と貼り合わされる。これにより厚み調整基材５０は、シート状基材２０と同形状の剥離紙を用意し、それを剥離基材４０と分離させることで得られるので、基材の準備の手間が減少する。耐水性基材３０は約３８μｍ、第２の接着層３１は約５μｍ、また、剥離紙（剥離基材４０及び厚み調整基材５０）は約１００μｍであり、耐水性基材３０及び第２の接着層３１の厚みは、剥離紙の厚みに比べ小さいので、申込伝票１０の厚みをほぼ均一にすることができ、プリンタへも問題なく使用できる。
【００２６】
次に、実施例２についての使用方法を説明する。なお、実施例２は、前述した実施例１と同様に商品販売における申込伝票であるので、重複する使用方法の説明は適宜省略する。
申込書２１は、申込伝票１０から切り離したあとに、裏面の剥離基材４０が剥がされ、店頭で保管される販売記録簿に貼り付けられる。仮に、販売員以外の第三者が、店頭に侵入し販売記録簿に貼り付けられた申込書２１を剥がして持ち出そうと試みても、耐水性基材３０にハーフカット３２が設けられているので、申込書２１はハーフカット３２で破れ、申込書２１に記載された顧客の個人情報を守ることができる。
【００２７】
以上より、実施例２の耐水電子ペン用シート１０−２には、前述した実施例１の効果に加え、以下のような効果がある。
（１）厚み調整基材５０は、剥離基材４０と同等の厚み及び同種の剥離紙で構成されているので、厚み調整用基材５０の厚みの設定に注意する必要をなくすことができる。また、シート状基材２０と同形状の剥離紙を用意し、それを剥離基材４０と分離させることで厚み調整基材５０を得られるので、基材の準備の手間を減少させることができる。
（２）耐水性基材３０は、ハーフカット３２を設けているので、申込書２１の貼り替え及び持ち出し防止の機能を備えることができる。
【００２８】
（変形例）
以上説明した実施例に限定されることなく、種々の変形や変更が可能であって、それらも本発明の均等の範囲内である。
（１）実施例１及び実施例２では、ドットパターン印刷層２３及び耐水性基材３０は、申込書２１に構成されていたが、その他の領域に構成されていてもよい。例えば、シート状基材２０の全面に設けることや、申込書お客様控え２２に設けることも可能である。
（２）実施例１及び実施例２では、絵柄印刷層として申込記入欄２６及び機能欄２７を構成していたが、その他の絵柄を印刷してもよい。例えば、バーコード、ＯＣＲ文字、偽造防止用のセキュリティインキ及び潜像などを印刷することも可能である。
（３）実施例２では、ハーフカット３２は直線で構成されていたが、曲線など様々な形状で構成されてもよい。
【図面の簡単な説明】
【００２９】
【図１】本発明による実施例１の申込伝票を示す図である。
【図２】本発明による実施例１の電子ペンの構成を示す模式図である。
【図３】本発明による実施例１の電子ペンのデータ変換則の一例を示す図である。
【図４】本発明による実施例１のデータ変換例を示す図である。
【図５】本発明による実施例２の申込伝票を示す図である。
【符号の説明】
【００３０】
１０  申込伝票
２０  シート状基材
２３  ドットパターン印刷層
２４  第１の接着層
３０  耐水性基材
３１  第２の接着層
４０  剥離基材
５０  厚み調整基材
１００  電子ペン
【図１】
2007216533.tif 000003
【図２】
2007216533.tif 000004
【図３】
2007216533.tif 000005
【図４】
2007216533.tif 000006
【図５】
2007216533.tif 000007